(57)【特許請求の範囲】
【請求項１】
所定の筐体に収納されて構成される通信端末装置において、
所定の局との間で無線通信を行う無線通信手段と、
上記無線通信手段で送信する音声データ及び受信した音声データの処理を行う通話用音声データ処理手段と、
音声データ又はオーディオデータを記憶した記憶媒体からデータを再生する再生処理手段と、
上記筐体とケーブルで接続され、上記再生処理手段を操作する操作部と、
上記操作部に設けられた通話用のマイクロホンと、
上記操作部に取付けられた環状部を有するネックストラップと、
上記ネックストラップに配置されて、上記操作部側に巻き取り可能なヘッドホンケーブルを介して上記環状部の途中から外部に引き出され、上記通話用音声データ処理手段で処理された音声の出力と上記再生処理手段で再生された音声又はオーディオの出力とが可能なヘッドホンとを備えた
通信端末装置。
【請求項２】
請求項１記載の通信端末装置において、
上記ヘッドホンは、左耳用と右耳用の２個で構成されて、左耳用のヘッドホンと右耳用のヘッドホンとが、それぞれ上記環状のストラップの環状部の別の位置から引き出されるようにした
通信端末装置。
【発明の詳細な説明】
【０００１】
【発明の属する技術分野】
本発明は、例えば携帯電話端末と称される無線電話装置に適用して好適な通信端末装置に関する。
【０００２】
【従来の技術】
従来、無線電話装置として使用される通信端末装置に、別の機能を組み合わせて複合端末とすることが各種行われている。この複合端末の１つとして、オーディオ再生装置を携帯端末装置に内蔵させることが提案されている。即ち、近年半導体メモリの大容量化及びオーディオデータの圧縮技術の向上に伴って、例えば数十分〜数時間程度のオーディオデータを、メモリカードが内蔵したメモリに記憶させることが可能になっている。このメモリカードを記録媒体（記憶媒体）として使用した小型の再生装置に、ヘッドホンを取付けて、そのヘッドホンでオーディオを聴取するようにしたものが既に実用化されている。
【０００３】
このようなメモリを記録媒体として使用したオーディオ再生装置を、携帯電話端末に内蔵させることで、携帯電話端末を通話用として使用しないときには、その端末にヘッドホンを取付けて、オーディオを聴取することができ、携帯電話端末の用途が広がる。
【０００４】
また、携帯電話端末にオーディオ再生装置を取付けることで、例えば無線電話回線を介してオーディオデータをセンタから端末にダウンロードさせて、その端末に装着されたメモリカードにオーディオデータを記憶させることで、オーディオデータをユーザに簡単に配信することができ、非常に便利である。
【０００５】
【発明が解決しようとする課題】
ところで、このような端末でオーディオを聴取する場合には、ヘッドホンを接続する必要がある。この場合のヘッドホンは、端末本体から装着者の耳元まで届く長さのケーブルで接続する必要があり、数十センチ程度の比較的長いケーブルで接続されるが、そのように長いケーブルで接続されていると、使用状況によってはケーブルが邪魔になる問題があった。
【０００６】
また、この種の複合端末としての携帯電話端末に取付けられたヘッドホンは、オーディオを聴取する場合に使用するのが一般的であり、通話時には使用しない状況が想定されるが、ヘッドホンが端末に取付けられた状態のままで、そのヘッドホンを使用しない場合には、特にヘッドホンやケーブルが邪魔になってしまう問題があった。
【０００７】
本発明の目的は、この種の通信端末装置において、ヘッドホンを接続した際のケーブルが邪魔にならないようにすることにある。
【０００８】
【課題を解決するための手段】
本発明は、所定の筐体に収納されて構成される通信端末装置において、所定の局との間で無線通信を行う無線通信手段と、無線通信手段で送信する音声データ及び受信した音声データの処理を行う通話用音声データ処理手段を備えている。また、音声データ又はオーディオデータを記憶した記憶媒体からデータを再生する再生処理手段をも備えている。それから、筐体とケーブルで接続されて再生処理手段を操作する操作部と、その操作部に設けられた通話用のマイクロホンと、操作部に取付けられた環状部を有するネックストラップがある。そのネックストラップに配置されて、操作部側に巻き取り可能なヘッドホンケーブルを介して環状部の途中から外部に引き出され、通話用音声データ処理手段で処理された音声の出力と再生処理手段で再生された音声又はオーディオの出力とが可能なヘッドホンとを備えたものである。
【０００９】
このようにしたことで、例えばこの通信端末装置の使用者が、ストラップを首から下げた状態として、そのストラップの途中から引き出されたヘッドホンを装着することで、通信端末装置で再生されたオーディオや音声などを聴取できるようになる。
【００１０】
【発明の実施の形態】
以下、本発明の第１の実施の形態を、図１〜図３を参照して説明する。
【００１１】
本例においては、例えばデジタルデータを基地局との間で無線伝送することで、通話やデータ通信などを行う無線電話装置（携帯電話端末）に適用したものである。そして、本例の携帯電話端末には、無線電話としての機能部の他に、オーディオ再生機能部を内蔵させてある。
【００１２】
図１は、本例の携帯電話端末１００の外観の一例を示した図である。本例の携帯電話端末１００は、第１筐体１１０と第２筐体１２０とを接合部１０１で回動自在に接合させたいわゆる折り畳み型の携帯電話端末として構成してある。図１は、両筐体１１０，１２０を開いた状態で示してあり、その開いたときに内側になる面の第１筐体１１０側には、携帯電話として使用される複数のキーで構成されるキー入力部１１１が配置してある。キー入力部１１１として用意されたキーとしては、０〜９の数字や＊，＃の記号のキーや、発信に関連した操作（いわゆるオフフック操作，オンフック操作等）を行うキーや、各種機能を設定するキーが用意されている。その機能キーの内の１つのキー１１１ａは、電話機能を停止させて、オーディオ再生機能だけを作動させるモードを設定及び解除するためのキーとしてある。
【００１３】
また、一部のキー１１１ｂ，１１１ｃについては、第２筐体１２０側に配置してある。さらに、第１筐体１１０の側面には、回転操作と押下操作とが可能なジョグダイヤル部１１２が配置してあり、このジョグダイヤル部１１２の操作によっても各種操作が可能としてある。ジョグダイヤル部１１２の操作によって、オーディオ再生機能を操作することも可能としてある。
【００１４】
また、第１筐体１１０の下端部には通話用のマイクロホン１１３が配置してあり、第２筐体１２０の上端部には通話用のスピーカ１２２が配置してあり、このマイクロホン１１３とスピーカ１２２とを通話者の口と耳元に近づけることで通話ができるようにしてある。第２筐体１２０の中央部には、表示部１２３を構成する表示パネルが配置してあり、数字，文字，図形などにより、動作状態や登録された電話番号、受信した文字メールなどの電話に関連した各種表示が可能としてある。また、後述するオーディオ再生機能に関連した表示（例えば再生中の曲のトラック番号，再生時間，曲名などの表示）も可能としてある。
【００１５】
第１筐体１１０には、メモリカード装着部１１４が設けてあり、例えば筐体の側面側からメモリカード１０を挿入させて装着できるようにしてある。本例の場合に使用可能なメモリカード１０としては、例えばスティク状（細長の薄板状）に構成された樹脂パッケージ内に不揮発性の半導体メモリを収納させたものを使用する。
【００１６】
第２筐体１２０には、上端にホイップアンテナ１２１とヘッドホン接続端子１２４が設けてあり、側面部にその他の端子が配置してある。側面部の端子としては、オーディオ入力端子１２５と、データ通信用ポート１２６とが配置してある。ヘッドホン端子１２４については、ヘッドホン装置に供給する左右２チャンネルのオーディオ信号（音声信号）の出力部と、ヘッドホン装置が内蔵するマイクロホンが拾った音声信号の入力部と、ヘッドホン装置に取付けられたリモートコントロール装置と通信を行うための入出力部とが、一体化されている。ここでは、このヘッドホン端子１２４には、後述するネックストラップ部２２０に内蔵されたヘッドホン装置のケーブルが接続させてあり、ネックストラップ部２２０についても一体的に筐体に接続される構成としてある。ここでの接続状態については、永久的な接続である場合と、プラグを介して着脱自在に接続させる場合とのいずれの構成としても良い。プラグを介して着脱自在に接続させる構成の場合には、ネックストラップ部２２０についても、着脱自在とする。但し、着脱自在の場合には、ネックストラップ部２２０で携帯電話端末１００を吊り下げることができる程度の強度を有する構造のプラグとする必要がある。
【００１７】
また、第２筐体１２０の側面に配置されたデータ通信用ポート１２６については、例えばパーソナルコンピュータ装置などの情報機器と接続するためのポートであり、例えばＵＳＢ（Universal Serial Bus）と称される規格のインターフェース用ポート、或いはＩＥＥＥ（The Institute of Electrical and Electronics Engineers ）１３９４規格のインターフェース用ポートとする。
【００１８】
ヘッドホン端子１２４に装着される本例のヘッドホン装置は、図１に示すようにネックストラップ部２２０に一体に取付けられたヘッドホン装置としてある。即ち、ネックストラップ部２２０と一体化されたケーブル２０１の一端が、ヘッドホン端子１２４に取付けてある。ケーブル２０１には、リモートコントロール部２１０が取付けてある。このリモートコントロール部２１０には、表示部２１１と、再生，停止，サーチなどを指示するキー２１２，２１３と、音量調整用のボリューム２１４と、マイクロホン２１５とが一体に取付けてある。キー２１２，２１３については、電話機能に関した指示が行えるようにしても良い。そして、このリモートコントロール部２１０からネックストラップ部２２０が環状に取付けてある。
【００１９】
ネックストラップ部２２０は、例えば幅が数mmから１cm程度の比較的幅の広い繊維，樹脂又は金属などで形成されている。このネックストラップ部２２０には、図１に示すように、左右の所定位置に孔２２１Ｌ，２２１Ｒが設けてあり、その左右の孔２２１Ｌ，２２１Ｒから、左右のヘッドホンユニット２３１Ｌ，２３１Ｒのケーブル２３２Ｌ，２３２Ｒが引き出してある。即ち、リモートコントロール部２１０からネックストラップ部２２０の左右の孔２２１Ｌ，２２１Ｒまでの間は、ヘッドホン装置２３１Ｌ，２３１Ｒのケーブル２３２Ｌ，２３２Ｒを破線で示すように内蔵させてあり、左右の孔２２１Ｌ，２２１Ｒから引き出されたケーブル２３２Ｌ，２３２Ｒの先端に左右のヘッドホンユニット２３１Ｌ，２３１Ｒが取付けてある。ネックストラップ部２２０の左右の孔２２１Ｌ，２２１Ｒから引き出されたケーブル２３２Ｌ，２３２Ｒの長さは、例えば数cmから十数cm程度の比較的短い長さとしてある。
【００２０】
ここでの左右のヘッドホンユニット２３１Ｌ，２３１Ｒは、使用者の耳介に直接装着されるいわゆるインナーイヤータイプとしてあり、左のヘッドホンユニット２３１Ｌから左チャンネルのオーディオ（音声）が出力され、右のヘッドホンユニット２３１Ｒから右チャンネルのオーディオ（音声）が出力されるようにしてある。通話用音声などの１チャンネルのオーディオ（音声）を出力させる際には、両ユニット２３１Ｌ，２３１Ｒから同じ信号を出力させるか、或いはいずれか１つのユニットからだけ出力させても良い。
【００２１】
ネックストラップ部２２０を携帯電話端末１００に対して着脱自在に構成した際には、上述した携帯電話端末１００の筐体１２０の上端に配置されたヘッドホン端子１２４で、ネックストラップ部２２０と一体化されたケーブル２０１を外せるような端子（プラグ：図示せず）を、ケーブル２０１の先端部に取付けて、ネックストラップ部２２０の端末１００に対する着脱と、ヘッドホンユニット２３１Ｌ，２３１Ｒの着脱とが一体的に行えるようにする。このとき、プラグの形状については、既に述べたように、ネックストラップ部２２０で携帯電話端末１００を吊り下げることができる程度の強度を有する構造とする必要がある。
【００２２】
次に、本例の携帯電話端末１００の内部構成を、図２を参照して説明する。無線電話用の回路としては、アンテナ１２１がアンテナ共用器１３１を介して受信回路１３２と送信回路１３４に接続してある。受信回路１３２では、指示されたチャンネルの受信処理を行い、受信回路１３２で受信された信号を、音声処理部１３３に供給して、無線伝送された音声信号や各種データを復調して抽出し、音声信号についてはスピーカ１２２から出力させる。また、マイクロホン１１３が出力する音声信号を音声処理部１３３に供給して、無線伝送用に変調するなどの処理を行い、その処理された信号を送信回路１３４で所定のチャンネルの送信信号とする送信処理を行い、その送信信号をアンテナ１２１から無線送信させる。これらの音声処理部１３３と受信回路１３２と送信回路１３４での処理は、中央制御ユニット（ＣＰＵ）１３５の制御により実行される。ＣＰＵ１３５は、この携帯電話端末内での各種信号処理を制御するマイクロプロセッサであり、オーディオ再生機能についても、このＣＰＵ１３５が制御する。
【００２３】
また、受信回路１３２で基地局から受信した制御信号などから、この端末１００への着信を検出するようにしてある。受信回路１３２で着信を検出したときには、着信検出情報をＣＰＵ１３５に供給し、ＣＰＵ１３５に必要な処理を実行する。
【００２４】
ＣＰＵ１３５には、この端末の動作に必要な情報が記憶されるＲＯＭ１３６と、電話帳情報などのユーザが登録した情報が記憶されるＲＡＭ１３７とが接続してあり、ＣＰＵ１３５が随時記憶情報を読出すようにしてある。この場合、ＲＯＭ１３６は、所定の処理を行ったとき一部の記憶データの書換えが可能なフラッシュメモリとしてあり、電話機能に関する登録情報を書き込ますようにしてある。このＲＯＭ１３６に記憶される電話機能に関する登録情報としては、この電話端末に固有の識別番号であるＩＤデータや、無線電話会社への契約の有無の情報や、契約を行った場合には、電話会社から付与された電話番号の情報などがある。また、オーディオ再生機能に関連した情報を、ＲＯＭ１３６に書き込ませるようにしても良い。
【００２５】
キー入力部１１１やジョグダイヤル部１１２を操作した情報は、ＣＰＵ１３５に供給され、ＣＰＵ１３５がその操作情報に基づいた動作を実行させるようにしてある。表示部１２３での表示についても、ＣＰＵ１３５が制御する。ここまで説明した構成は、基本的には電話機能に関連した構成である。
【００２６】
次に、オーディオ再生機能に関係した構成について説明すると、本例の場合には、オーディオデータを所定の方式（例えばＡＴＲＡＣ（Adaptive Transform Acoustic Coding）３方式）で圧縮されたデータを、メモリカード１０に記憶させるようにしてある。この場合、ここでは左チャンネルと右チャンネルのステレオ再生用の２チャンネルのオーディオデータを記憶させることができるようにしてある。
【００２７】
この２チャンネルのオーディオデータが記憶されたメモリカード１０がメモリカード装着部１１４に装着されたとき、メモリカード１０の記憶データが、ＣＰＵ１３５の制御によりデコーダ１３８に供給され、デコーダ１３８で圧縮されたデータの逆圧縮処理を行って元のデータに戻し、戻されたデータをデジタル／アナログ変換器１３９に供給して、２チャンネルのアナログオーディオ信号とする。そして、デジタル／アナログ変換器１３９で変換された左右のチャンネルのオーディオ信号を、混合器１４０を介してヘッドホン端子１２４に供給する。
【００２８】
また、デジタル／アナログ変換器１３９の出力には、音声処理部１３３からの通話用音声が混合器１４０で混合されて、ヘッドホン端子１２４に接続されたヘッドホンに供給されるようにしてある。
【００２９】
また、デジタル／アナログ変換器１３９が出力するオーディオ信号を、増幅器１４２を介して端末の表面に取付けられたスピーカ１４３に供給して出力させることも可能としてある。デジタル／アナログ変換器１３９の出力系統の選択（即ちヘッドホンを使用する系統とスピーカを使用する系統の選択）は、ＣＰＵ１３５により制御される。なお、スピーカ１４３は端末１００の表面に配置されているため、図１では裏側に取付けられて隠れた状態となり図示されない。
【００３０】
本例のオーディオ再生機能部は、入力したオーディオ信号（又は音声信号）を、装着されたメモリカード１０に記録（記憶）させる機能も備える。この記録機能のために、デジタルオーディオデータの入力端子１２５を備えて、その入力端子１２５に得られるオーディオデータを、デコーダ１３８に供給する。そして、本例のデコーダ１３８は、この記録用に入力データをエンコードするエンコーダとしての機能も備え、ＣＰＵ１３５の制御でエンコードされたデータを、メモリカード装着部１１４に装着されたメモリカード１０に記憶させるようにしてある。なお、デコーダ１３８でのデコード処理やエンコード処理は、ここでは音楽などのオーディオデータを処理するのに適した方式の処理としてある。
【００３１】
図１に示すヘッドホン端子１２４には、図２に示すオーディオの出力端子１２４ａの他に、リモートコントロール部２１０に内蔵されたマイクロホン２１５からの音声信号の入力端子１２４ｂと、リモートコントロール用の入出力端子１２４ｃとを備える。
【００３２】
入力端子１２４ｂに得られる音声信号については、アナログ／デジタル変換器１４１を介してデコーダ１３８に供給し、オーディオデータの場合と同様にエンコードして、メモリカード１０に記憶させることもできるようにしてある。また、入力端子１２４ｂに得られる外部のマイクロホンからの音声信号については、音声処理部１３３に供給して、マイクロホン１１３から入力した音声と同様に、通話用音声としても処理できるようにしてある。
【００３３】
リモートコントロール用の入出力端子１２４ｃは、ＣＰＵ１３５が、リモートコントロール部２１０と通信を行うための端子であり、リモートコントロール部２１０内の表示部２１１での表示をＣＰＵ１３５が制御すると共に、キー２１２，２１３の操作情報などをＣＰＵ１３５が判断する。なお、リモートコントロール用の信号をオーディオ信号（音声信号）に重畳して、リモートコントロール用の入出力端子１２４ｃをオーディオ出力端子１２４ａと共通の端子とすることも可能である。
【００３４】
また、本例の携帯電話端末１００は、パーソナルコンピュータ装置などの情報機器と通信を行うためのデータ通信用ポート１２６を備えて、そのポート１２６にインターフェース部１４４が接続してあり、インターフェース部１４４を介してポート１２６と接続された相手側の機器と、ＣＰＵ１３５及びデコーダ１３８が通信をできるようにしてある。このポート１２６を使用した外部の機器との通信では、例えば外部の機器からポート１２６に供給されるオーディオデータを、デコーダ１３８に供給して、記録（記憶）用に圧縮して、メモリカード装着部１１４に装着されたメモリカード１０にそのデータを記憶させたり、或いはメモリカード１０に記憶されたオーディオデータを、デコーダ１３８で逆圧縮し、そのデータをポート１２６に接続された機器に供給すること等が可能である。また、無線電話回線を経由してこの端末が受信したデータを、ＣＰＵ１３５の制御でポート１２６に供給して、外部の機器に供給したり、逆に外部の機器からポート１２６に得られるデータを、ＣＰＵ１３５の制御で無線電話回線側に送出させることもできる。
【００３５】
また、無線電話回線を経由してこの端末の受信回路１３２が受信したオーディオデータなどの各種データを、ＣＰＵ１３５の制御で、装着部１１４に装着されたメモリカード１０に記憶させることも可能としてある。この場合、受信したデータが既に記憶用にエンコードされたデータである場合、デコーダ１３８でのエンコード処理を省略してメモリに書き込ませても良い。
【００３６】
このようにして、本例の携帯電話端末には、オーディオデータや音声データを記録（記憶）し再生する機能部が内蔵されている。なお、本例の場合には、メモリカード１０が装着部１１４から着脱自在であるので、例えば他のオーディオ機器でオーディオデータを記憶させたメモリカード１０を、本例の携帯電話端末１００に装着して、再生させることも可能である。
【００３７】
このように構成される本例の携帯電話端末１００の使用状態の例を、図３に示す。この例では携帯電話機１００のオーディオ再生機能を利用してオーディオを聴取している状態を示してある。携帯電話機１００本体については、第１筐体１１０と第２筐体１２０とを閉じた状態としてあり、ネックストラップ部２２０に取付けられた携帯電話機１００を聴取者の首からぶら下げた状態としてある。
【００３８】
そして、図３に示すように、ネックストラップ部２２０からヘッドホンユニット２３１Ｌ，２３１Ｒのケーブル２３２Ｌ，２３２Ｒが引き出される箇所（即ち孔２２１Ｌ，２２１Ｒの位置）を、聴取者の肩の近傍になる位置とすることで、その位置から引き出されたケーブル２３２Ｌ，２３２Ｒの先端のヘッドホンユニット２３１Ｌ，２３１Ｒを、聴取者の耳介に装着させることが容易に行える。
【００３９】
なお、聴取者が図３に示すようにヘッドホンを装着した状態で通話を行うことも可能である。この場合には、例えばネックストラップ部２２０に取付けられたリモートコントロール部２１０を聴取者が手で持って、そのリモートコントロール部２１０に取付けられたマイクロホン２１５を口元に持っていき、そのマイクロホン２１５を通話用のマイクロホンとして使用し、ヘッドホンユニット２３１Ｌ，２３１Ｒを通話用のスピーカとして使用することで、携帯電話機１００本体に取付けられたスピーカとマイクロホンを使用することなく、通話が行える。
【００４０】
以上説明したように、本例のヘッドホンが組み込まれたネックストラップ部２２０が取付けられた携帯電話端末１００によると、この携帯電話端末１００に内蔵されたオーディオ再生機能を利用して、オーディオや音声を再生して聴取する際に、ヘッドホンのケーブルが邪魔にならない状態で良好に聴取できるようになる。即ち、図３に示すようにネックストラップ部２２０で首からぶら下げた状態とすることで、ヘッドホン用のケーブル２３２Ｌ，２３２Ｒの大部分はネックストラップ部２２０に内蔵される状態になり、聴取者の耳元のわずかな部分だけでヘッドホン用のケーブル２３２Ｌ，２３２Ｒが露出した状態となり、使用する上でケーブル２３２Ｌ，２３２Ｒが邪魔にならい。また、ヘッドホン装置を装着しない場合にも、ヘッドホンユニット２３１Ｌ，２３１Ｒとそのケーブル２３２Ｌ，２３２Ｒが、ネックストラップ部２２０からわずかな長さ垂れた状態となるだけであり、ネックストラップ部２２０とヘッドホン装置とが完全に別体である場合のように、不使用時のヘッドホン装置の処置に困ることもなくなる。
【００４１】
次に、本発明の第２の実施の形態を、図４を参照して説明する。
【００４２】
本例においても、上述した第１の実施の形態と同様に、例えばデジタルデータを基地局との間で無線伝送することで、通話やデータ通信などを行う無線電話装置（携帯電話端末）に適用したものである。そして、本例の携帯電話端末についても、無線電話としての機能部の他に、オーディオ再生機能部を内蔵させてある。
【００４３】
図４は、本例の携帯電話端末３００の外観の一例を示した図である。本例の携帯電話端末３００は、１つの筐体で構成された端末としてあり、携帯電話として使用される複数のキーで構成されるキー入力部３１１と、ジョグダイヤル部３１２と、表示部３１３を構成する表示パネルと、通話用のマイクロホン３１４とが配置してある。この端末３００の場合には、通話用のスピーカは配置してなく、後述するヘッドホン装置が通話用のスピーカとしても使用される。
【００４４】
また、携帯電話端末３００を構成する筐体の上面には、アンテナ３１５が配置してあり、側面には、メモリカード１０′の装着部３１６が設けてある。そして、携帯電話端末３００を構成する筐体の上面に、ネックストラップ部４００が直接取付けられる端子部３１７が構成してある。ここでのネックストラップ部４００は、端子部３１７から外すことは出来ない構成としてある。なお、ここでは携帯電話端末３００の内部の回路構成については説明しないが、第１の実施の形態で説明した携帯電話端末１００の構成（図２）から、通話用のスピーカ１２２を除いた構成と基本的には同じである。
【００４５】
そして、本例のネックストラップ部４００は、例えば幅が数mmから１cm程度の比較的幅の広い繊維，樹脂又は金属などで形成されて、環状となるようにしてある。このネックストラップ部４００には、図４に示すように、左右の所定位置に孔４０１Ｌ，４０１Ｒが設けてあり、その左右の孔４０１Ｌ，４０１Ｒから、左右のヘッドホンユニット４１１Ｌ，４１１Ｒのケーブル４１２Ｌ，４１２Ｒが引き出してある。このケーブル４１２Ｌ，４１２Ｒは、左右の孔４０１Ｌ，４０１Ｒから端子部３１７までの間は、破線で示すようにネックストラップ部４００を構成する部材に内蔵させてある。ネックストラップ部４００の左右の孔４０１Ｌ，４０１Ｒから引き出されたケーブル４１２Ｌ，４１２Ｒの長さは、例えば数cmから十数cm程度の比較的短い長さとしてある。
【００４６】
左右のケーブル４１２Ｌ，４１２Ｒの先端に取付けられた左右のヘッドホンユニット４１１Ｌ，４１１Ｒは、例えば使用者の耳介に直接装着されるいわゆるインナーイヤータイプとしてあり、左のヘッドホンユニット４１１Ｌから左チャンネルのオーディオ（音声）が出力され、右のヘッドホンユニット４１１Ｒから右チャンネルのオーディオ（音声）が出力されるようにしてある。通話用音声などの１チャンネルのオーディオ（音声）を出力させる際には、両ユニット４１１Ｌ，４１１Ｒから同じ信号を出力させるか、或いはいずれか１つのユニットからだけ出力させても良い。
【００４７】
なお、本例の場合にはリモートコントロール部をネックストラップ部４００には取付けない構成としてある。
【００４８】
このように構成される携帯電話端末３００の使用状態について説明すると、ネックストラップ部４００に取付けられた携帯電話機３００を聴取者の首からぶら下げた状態とすることで、第１の実施の形態で説明した端末の場合と同様に、ネックストラップ部４００から引き出されたヘッドホンユニット４１１Ｌ，４１１Ｒを、聴取者の耳介に装着させることが容易に行える。
【００４９】
そして、通話時には、ヘッドホンを装着した状態で、例えば端末３００の本体を直接聴取者が手で持って、その本体に取付けられたマイクロホン３１４を口元に持っていき、そのマイクロホン３１４を通話用のマイクロホンとして使用し、ヘッドホンユニット４１１Ｌ，４１１Ｒを通話用のスピーカとして使用することで、通話が行える。
【００５０】
このように構成した本例のヘッドホンが組み込まれたネックストラップ部４００が取付けられた携帯電話端末３００によると、第１の実施の形態で説明した端末の場合と同様に、この携帯電話端末３００に内蔵されたオーディオ再生機能を利用して、オーディオや音声を再生して聴取する際に、ヘッドホンのケーブルが邪魔にならない状態で良好に聴取できるようになる。
【００５１】
また通話時には、ネックストラップ部４００に組み込まれたヘッドホンと端末本体のマイクロホン３１４を使用して通話が行えるので、携帯電話端末３００として小型に構成することが可能になる。即ち、通常の携帯電話端末の場合には、通話用のマイクロホンとスピーカとを、通話者の口と耳の距離に相当する間隔だけあけて配置する必要があるため、携帯電話端末の最低限の大きさには、ある程度の制約があるが、本例の端末３００の場合には、マイクロホンを配置する必要がないので、キーと表示パネルとマイクロホンだけが配置できれば良く、非常に小型な筐体に収納させて構成させることが可能になる。
【００５２】
なお、ここまで説明した第１，第２の実施の形態で説明した携帯電話端末では、ヘッドホン装置を構成するヘッドホンユニットとして、インナーイヤータイプのものを使用したが、その他の形状のヘッドホンユニットを接続するようにしても良い。
【００５３】
また、上述した各実施の形態では、ネックストラップ部から引き出されたヘッドホン用のケーブルの長さは、設定された一定の長さであるとしたが、何らかの機構によりケーブルの長さが調整できるようにしても良い。例えば、第１の実施の形態で説明したようにリモートコントロール部２１０を設ける構成とした場合には、このリモートコントロール部２１０の内部に、ヘッドホン用のケーブル２３２Ｌ，２３２Ｒの巻き取り機構を設けて、その巻き取り機構により孔２２１Ｌ，２２１Ｒから出ているケーブルの長さが調整できるようにしても良い。また、第２の実施の形態で説明したように、リモートコントロール部を設けない構成の場合には、端末３００を構成する筐体に、直接ヘッドホン用のケーブル４１２Ｌ，４１２Ｒの巻き取り機構を設けて、その巻き取り機構により孔４０１Ｌ，４０１Ｒから出ているケーブルの長さが調整できるようにしても良い。このようにヘッドホンケーブルの長さの調整機構を設けることで、ヘッドホンの使用時には聴取者が最も使い易い長さを設定することができると共に、使用しない際には、巻き取り機構により最も短く巻き上げさせることで、ネックストラップ部の孔２２１Ｌ，２２１Ｒ（又は孔４０１Ｌ，４０１Ｒ）から、ヘッドホンユニットが垂れ下がらない状態となり、ヘッドホンユニットがより邪魔にならない。
【００５４】
また、上述した各実施の形態では、ヘッドホンユニットは左右２個設けて、聴取者の左右の耳に装着されるようにしたが、いずれか片方の耳に装着されるヘッドホンユニットだけを設けた構成としても良い。
【００５５】
また、上述した各実施の形態では、端末に装着されて使用される記録媒体（記憶媒体）としてメモリカードを使用したが、他の記録媒体を使用したオーディオ再生機能を組み込んだ端末としても良い。また、メモリを記憶媒体として使用する場合に、そのメモリが端末装置内に予め組み込まれたものを使用して、交換できないようにしても良い。
【００５６】
また、上述した各実施の形態では、通信端末として無線電話回線を使用する携帯電話端末としたが、ヘッドホン装置が接続されるその他の無線通信システム用の無線通信端末にも適用できるものである。
【００５７】
【発明の効果】
本発明によると、例えばこの通信端末装置の使用者が、ストラップを首から下げた状態として、そのストラップの途中から引き出されたヘッドホンを装着することで、通信端末装置で再生されたオーディオや音声などを聴取できるようになる。この場合、ヘッドホン用のケーブルについては、大部分がストラップに内蔵されることになり、ヘッドホンのケーブルが使用上邪魔にならず、通信端末装置に取付けたヘッドホンの使い勝手が向上する。
【００５８】
この場合、ヘッドホンは、左耳用と右耳用の２個で構成されて、左耳用のヘッドホンと右耳用のヘッドホンとが、それぞれストラップの環状部の別の位置から引き出されるようにしたことで、左右のヘッドホンが最適な状態で配置されるようになる。
【００５９】
また、ストラップは、通信端末装置本体を構成する筐体に対して着脱自在に構成されて、ストラップの着脱に連動して、ヘッドホンが筐体に対して着脱されるようにしたことで、ストラップを本体から外すだけでヘッドホンも外すことができ、ヘッドホンの取り扱いが容易に行えるようになる。
【００６０】
さらに、筐体には、通話用のマイクロホンを配置すると共に通話用のスピーカを配置させない構成としたことで、ストラップに取付けられたヘッドホンを通話用のスピーカとして通話を行うようにすることで、通信端末装置本体を構成する筐体を非常に小型に構成することが可能になる。
【図面の簡単な説明】
【図１】本発明の第１の実施の形態による端末装置の構成例を示す斜視図である。
【図２】本発明の第１の実施の形態による端末装置の内部構成の例を示すブロック図である。
【図３】本発明の第１の実施の形態による端末装置の装着例を示す説明図である。
【図４】本発明の第２の実施の形態による端末装置の構成例を示す斜視図である。
【符号の説明】
１０，１０′…メモリカード、１００…携帯電話端末、１１０…第１筐体、１１１…キー入力部、１１３…マイクロホン、１１４…メモリカード装着部、１２０…第２筐体、１２１…アンテナ、１２２…スピーカ、１２３…表示部、１２４…ヘッドホン端子、１２４ａ…オーディオ出力端子、１２４ｂ…マイクロホン用入力端子、１２４ｃ…リモートコントロール用入出力端子、１２５…オーディオ入力ジャック、１２６…データ通信用ポート、１３２…受信回路、１３３…音声処理部、１３４…送信回路、１３５…中央制御ユニット（ＣＰＵ）、１３８…デコーダ（エンコーダ）、１３９…デジタル／アナログ変換器、１４１…アナログ／デジタル変換器、２０１…ケーブル、２１０…リモートコントロール部、２１１…表示部、２１２，２１３…キー、２１４…ボリューム、２１５…マイクロホン、２２０…ネックストラップ部、２２１Ｌ，２２１Ｒ…孔、２３１Ｌ，２３１Ｒ…ヘッドホンユニット、２３２Ｌ，２３２Ｒ…ヘッドホン用ケーブル、３００…携帯電話端末、３１１…キー入力部、３１３…表示部，３１４…マイクロホン、３１５…アンテナ、３１６…メモリカード装着部、３１７…ヘッドホン端子、４００…ネックストラップ部、４０１Ｌ，４０１Ｒ…孔、４１１Ｌ，４１１Ｒ…ヘッドホンユニット、４１２Ｌ，４１２Ｒ…ヘッドホン用ケーブル
【図１】
0004396003.tif 000002
【図２】
0004396003.tif 000003
【図３】
0004396003.tif 000004
【図４】
0004396003.tif 000005